【手続補正書】
【提出日】平成28年6月8日(2016.6.8)
【手続補正１】
【補正対象書類名】特許請求の範囲
【補正対象項目名】全文
【補正方法】変更
【補正の内容】
【特許請求の範囲】
【請求項１】
拡張現実コンテンツを表示する方法であって、
カメラによって、ユーザの視界内の環境の走査を受信するステップと、
ユーザインターフェースウィンドウを表示するために前記環境内の表面のセットを識別するステップと、
表面の前記セットにおける各表面に表面優先度レベルを割り当てるステップであって、各表面に対する前記表面優先度レベルは複数の表面優先度レベルから選択されるステップと、
表面の前記セットにおける各表面に表面追跡容易性レベルを割り当てるステップであって、各表面に対する前記表面追跡容易性レベルは複数の表面追跡容易性レベルから選択されるステップと、
前記環境内の表面の前記セットに対して表示する拡張現実コンテンツのセットにおける各コンテンツアイテムにコンテンツ優先度レベルを割り当てるステップであって、各コンテンツアイテムに対する前記コンテンツ優先度レベルは複数のコンテンツ優先度レベルから選択されるステップと、
前記表面優先度レベルと、前記表面追跡容易性レベルと、前記コンテンツ優先度レベルとに基づいて、表面の前記セットにおける表面上の表示する拡張現実コンテンツの前記セットにおける各コンテンツアイテムをディスプレイに表示するステップとを含む、方法。
【請求項２】
前記環境が現実世界のオブジェクトを含み、表面の前記セットが前記ユーザの上、下、左、右、および前の視界における表面を含み、前記ディスプレイがヘッドマウントディスプレイである、請求項1に記載の方法。
【請求項３】
表面の前記セットにおける各表面に前記表面優先度レベルを割り当てるステップが、
表面の前記セットの面積、表面の前記セットの向き、前記ユーザの視野に対する表面の前記セットのロケーションに基づいて、前記表面優先度レベルを割り当てるステップを含み、前記複数の表面優先度レベルが、高い、中間の、および低い表面優先度レベルを含む、請求項1に記載の方法。
【請求項４】
前記環境内の表面の前記セットに対して表示する拡張現実コンテンツのセットにおける各コンテンツアイテムに前記コンテンツ優先度レベルを割り当てるステップが、
表示されるべき拡張現実コンテンツの前記セットに対する表面の前記セットのアスペクト比、および表示されるべき拡張現実コンテンツの前記セットに対する表面の前記セットの背景色のうちの少なくとも1つに基づいて、前記コンテンツ優先度レベルを割り当てるステップを含む、請求項1に記載の方法。
【請求項５】
前記環境内の表面の前記セットに対して表示する拡張現実コンテンツのセットにおける各コンテンツアイテムに前記コンテンツ優先度レベルを割り当てるステップが、
前記環境内の前記ユーザの以前の使用パターンの履歴に基づいて、前記コンテンツ優先度レベルを割り当てるステップを含む、請求項1に記載の方法。
【請求項６】
前記環境内の前記ユーザの以前の使用パターンの履歴に基づいて、前記コンテンツ優先度レベルを割り当てるステップが、
前記ユーザが勤務中であるとの判断に応答して表示する拡張現実コンテンツの第1のセットを選択するステップと、
前記ユーザが在宅中であるとの判断に応答して表示する拡張現実コンテンツの第2のセットを選択するステップと、
前記ユーザが業務会議中であるとの判断に応答して表示する拡張現実コンテンツの第3のセットを選択するステップと、
前記ユーザが社交活動中であるとの判断に応答して表示する拡張現実コンテンツの第4のセットを選択するステップとのうちの少なくとも1つを含む、請求項5に記載の方法。
【請求項７】
拡張現実コンテンツの前記第1のセットが、前記ユーザが仕事で使用するのに慣れているコミュニケーションおよびドキュメンテーションのためのアプリケーションプログラムを含み、
拡張現実コンテンツの前記第2のセットが、前記ユーザが家で使用するのに慣れているコミュニケーションおよび娯楽のためのアプリケーションプログラムを含む、請求項6に記載の方法。
【請求項８】
コミュニケーションおよびドキュメンテーションのための拡張現実コンテンツの前記第1のセットが、電子メール、ウェブブラウザ、および職場の生産性のアプリケーションを含み、
コミュニケーションおよび娯楽のための拡張現実コンテンツの前記第2のセットが、ソーシャルネットワーキングウェブサイト、ムービーおよびビデオゲームアプリケーションを含む、請求項7に記載の方法。
【請求項９】
前記環境内の表面の前記セットに対して表示する拡張現実コンテンツのセットにおける各コンテンツアイテムに前記コンテンツ優先度レベルを割り当てるステップが、
表示されるべき拡張現実コンテンツの前記セットのスケールファクタ、または表示されるべき拡張現実コンテンツの前記セットの論理的関係のうちの少なくとも1つに基づいて、前記1つまたは複数のコンテンツ優先度レベルを割り当てるステップを含む、請求項1に記載の方法。
【請求項１０】
前記環境内の表面の前記セットに対して表示する拡張現実コンテンツのセットにおける各コンテンツアイテムに前記コンテンツ優先度レベルを割り当てるステップが、
所定のユーザ選好に基づいて、前記コンテンツ優先度レベルを割り当てるステップを含む、請求項1に記載の方法。
【請求項１１】
前記所定のユーザ選好が、
前記ユーザに対する拡張現実コンテンツの重要性と、
表示されるべき前記拡張現実コンテンツの量と、
表面の前記セットに対する前記拡張現実コンテンツの視線の向きとのうちの少なくとも1つを含む、請求項10に記載の方法。
【請求項１２】
前記環境内のマーカのセットを識別するステップと、
マーカの前記セットを表面の前記セットと関連付けるステップと、
マーカの前記セットを使用して表面の前記セットを追跡するステップとをさらに含む、請求項1に記載の方法。
【請求項１３】
1つまたは複数のコンピュータシステムによって実行するためのコンピュータプログラムであって、
カメラによって、ユーザの視界内の環境の走査を受信するためのコードと、
ユーザインターフェースウィンドウを表示するために前記環境内の表面のセットを識別するためのコードと、
表面の前記セットにおける各表面に表面優先度レベルを割り当てるためのコードであって、各表面に対する前記表面優先度レベルは複数の表面優先度レベルから選択されるコードと、
表面の前記セットにおける各表面に表面追跡容易性レベルを割り当てるためのコードであって、各表面に対する前記表面追跡容易性レベルは複数の表面追跡容易性レベルから選択されるコードと、
前記環境内の表面の前記セットに対して表示する拡張現実コンテンツのセットにおける各コンテンツアイテムにコンテンツ優先度レベルを割り当てるためのコードであって、各コンテンツアイテムに対する前記コンテンツ優先度レベルは複数のコンテンツ優先度レベルから選択されるコードと、
前記表面優先度レベルと、前記表面追跡容易性レベルと、前記コンテンツ優先度レベルとに基づいて、表面の前記セットにおける表面上の表示する拡張現実コンテンツの前記セットにおける各コンテンツアイテムをディスプレイに表示するためのコードとを含む、コンピュータプログラム。
【請求項１４】
前記環境が現実世界のオブジェクトを含み、表面の前記セットが前記ユーザの上、下、左、右、および前の視界における表面を含み、前記ディスプレイがヘッドマウントディスプレイである、請求項13に記載のコンピュータプログラム。
【請求項１５】
表面の前記セットにおける各表面に前記表面優先度レベルを割り当てるためのコードが、
表面の前記セットの面積、表面の前記セットの向き、前記ユーザの視野に対する表面の前記セットのロケーションに基づいて、前記表面優先度レベルを割り当てるためのコードを含み、前記複数の表面優先度レベルが、高い、中間の、および低い表面優先度レベルを含む、請求項13に記載のコンピュータプログラム。
【請求項１６】
前記環境内の表面の前記セットに対して表示する拡張現実コンテンツのセットにおける各コンテンツアイテムに前記コンテンツ優先度レベルを割り当てるためのコードが、
表示されるべき拡張現実コンテンツの前記セットに対する表面の前記セットのアスペクト比、および表示されるべき拡張現実コンテンツの前記セットに対する表面の前記セットの背景色のうちの少なくとも1つに基づいて、前記コンテンツ優先度レベルを割り当てるためのコードを含む、請求項13に記載のコンピュータプログラム。
【請求項１７】
前記環境内の表面の前記セットに対して表示する拡張現実コンテンツのセットにおける各コンテンツアイテムに前記コンテンツ優先度レベルを割り当てるためのコードが、
前記環境内の前記ユーザの以前の使用パターンの履歴に基づいて、前記コンテンツ優先度レベルを割り当てるためのコードをさらに含む、請求項13に記載のコンピュータプログラム。
【請求項１８】
前記環境内の前記ユーザの以前の使用パターンの履歴に基づいて、前記コンテンツ優先度レベルを割り当てるためのコードが、
前記ユーザが勤務中であるとの判断に応答して表示する拡張現実コンテンツの第1のセットを選択するためのコードと、
前記ユーザが在宅中であるとの判断に応答して表示する拡張現実コンテンツの第2のセットを選択するためのコードと、
前記ユーザが業務会議中であるとの判断に応答して表示する拡張現実コンテンツの第3のセットを選択するためのコードと、
前記ユーザが社交活動中であるとの判断に応答して表示する拡張現実コンテンツの第4のセットを選択するためのコードとのうちの少なくとも1つを含む、請求項17に記載のコンピュータプログラム。
【請求項１９】
拡張現実コンテンツの前記第1のセットが、前記ユーザが仕事で使用するのに慣れているコミュニケーションおよびドキュメンテーションのためのアプリケーションプログラムを含み、
拡張現実コンテンツの前記第2のセットが、前記ユーザが家で使用するのに慣れているコミュニケーションおよび娯楽のためのアプリケーションプログラムを含む、請求項18に記載のコンピュータプログラム。
【請求項２０】
コミュニケーションおよびドキュメンテーションのための拡張現実コンテンツの前記第1のセットが、電子メール、ウェブブラウザ、および職場の生産性のアプリケーションを含み、
コミュニケーションおよび娯楽のための拡張現実コンテンツの前記第2のセットが、ソーシャルネットワーキングウェブサイト、ムービーおよびビデオゲームアプリケーションを含む、請求項19に記載のコンピュータプログラム。
【請求項２１】
前記環境内の表面の前記セットに対して表示する拡張現実コンテンツのセットにおける各コンテンツアイテムに前記コンテンツ優先度レベルを割り当てるためのコードが、
表示されるべき拡張現実コンテンツの前記セットのスケールファクタ、および表示されるべき拡張現実コンテンツの前記セットの論理的関係のうちの少なくとも1つに基づいて、前記コンテンツ優先度レベルを割り当てるためのコードを含む、請求項13に記載のコンピュータプログラム。
【請求項２２】
前記環境内の表面の前記セットに対して表示する拡張現実コンテンツのセットにおける各コンテンツアイテムに前記コンテンツ優先度レベルを割り当てるためのコードが、
所定のユーザ選好に従って表示する拡張現実コンテンツのセットを決定するためのコードに基づいて、前記コンテンツ優先度レベルを割り当てるためのコードを含む、請求項13に記載のコンピュータプログラム。
【請求項２３】
前記所定のユーザ選好が、
前記ユーザに対する拡張現実コンテンツの重要性と、
表示されるべき前記拡張現実コンテンツの量と、
表面の前記セットに対する前記拡張現実コンテンツの視線の向きとのうちの少なくとも1つを含む、請求項22に記載のコンピュータプログラム。
【請求項２４】
前記環境内のマーカのセットを識別するためのコードと、
マーカの前記セットを表面の前記セットと関連付けるためのコードと、
マーカの前記セットを使用して表面の前記セットを追跡するためのコードとをさらに含む、請求項13に記載のコンピュータプログラム。
【請求項２５】
少なくとも1つのプロセッサを備える装置であって、前記少なくとも1つのプロセッサが、
カメラによって、ユーザの視界内の環境の走査を受信するように構成された論理回路と、
ユーザインターフェースウィンドウを表示するために前記環境内の表面のセットを識別するように構成された論理回路と、
表面の前記セットにおける各表面に表面優先度レベルを割り当てるように構成された論理回路であって、各表面に対する前記表面優先度レベルは複数の表面優先度レベルから選択される論理回路と、
表面の前記セットにおける各表面に表面追跡容易性レベルを割り当てるように構成された論理回路であって、各表面に対する前記表面追跡容易性レベルは複数の表面追跡容易性レベルから選択される論理回路と、
前記環境内の表面の前記セットに対して表示する拡張現実コンテンツのセットにおける各コンテンツアイテムにコンテンツ優先度レベルを割り当てるように構成された論理回路であって、各コンテンツアイテムに対する前記コンテンツ優先度レベルは複数のコンテンツ優先度レベルから選択される論理回路と、
前記表面優先度レベルと、前記表面追跡容易性レベルと、前記コンテンツ優先度レベルとに基づいて、表面の前記セットにおける表面上の表示する拡張現実コンテンツの前記セットにおける各コンテンツアイテムをディスプレイに表示するように構成された論理回路とを備える、装置。
【請求項２６】
前記環境が現実世界のオブジェクトを含み、表面の前記セットが前記ユーザの上、下、左、右、および前の視界における表面を含み、前記ディスプレイがヘッドマウントディスプレイである、請求項25に記載の装置。
【請求項２７】
表面の前記セットにおける各表面に前記表面優先度レベルを割り当てるように構成された論理回路が、
表面の前記セットの面積、表面の前記セットの向き、前記ユーザの視野に対する表面の前記セットのロケーションに基づいて、前記表面優先度レベルを割り当てるように構成された論理回路を備え、前記複数の表面優先度レベルが、高い、中間の、および低い表面優先度レベルを含む、請求項25に記載の装置。
【請求項２８】
前記環境内の表面の前記セットに対して表示する拡張現実コンテンツのセットにおける各コンテンツアイテムに前記コンテンツ優先度レベルを割り当てるように構成された論理回路が、
表示されるべき拡張現実コンテンツの前記セットに対する表面の前記セットのアスペクト比、および表示されるべき拡張現実コンテンツの前記セットに対する表面の前記セットの背景色のうちの少なくとも1つに基づいて、前記コンテンツ優先度レベルを割り当てるように構成された論理回路を備える、請求項25に記載の装置。
【請求項２９】
前記環境内の表面の前記セットに対して表示する拡張現実コンテンツのセットにおける各コンテンツアイテムに前記コンテンツ優先度レベルを割り当てるように構成された論理回路が、
前記環境内の前記ユーザの以前の使用パターンの履歴に基づいて、前記コンテンツ優先度レベルを割り当てるように構成された論理回路を備える、請求項25に記載の装置。
【請求項３０】
前記環境内の前記ユーザの以前の使用パターンの履歴に基づいて、前記コンテンツ優先度レベルを割り当てるように構成された論理回路が、
前記ユーザが勤務中であるとの判断に応答して表示する拡張現実コンテンツの第1のセットを選択するように構成された論理回路と、
前記ユーザが在宅中であるとの判断に応答して表示する拡張現実コンテンツの第2のセットを選択するように構成された論理回路と、
前記ユーザが業務会議中であるとの判断に応答して表示する拡張現実コンテンツの第3のセットを選択するように構成された論理回路と、
前記ユーザが社交活動中であるとの判断に応答して表示する拡張現実コンテンツの第4のセットを選択するように構成された論理回路とのうちの少なくとも1つを備える、請求項29に記載の装置。
【請求項３１】
拡張現実コンテンツの前記第1のセットが、前記ユーザが仕事で使用するのに慣れているコミュニケーションおよびドキュメンテーションのためのアプリケーションプログラムを含み、
拡張現実コンテンツの前記第2のセットが、前記ユーザが家で使用するのに慣れているコミュニケーションおよび娯楽のためのアプリケーションプログラムを含む、請求項30に記載の装置。
【請求項３２】
コミュニケーションおよびドキュメンテーションのための拡張現実コンテンツの前記第1のセットが、電子メール、ウェブブラウザ、および職場の生産性のアプリケーションを含み、
コミュニケーションおよび娯楽のための拡張現実コンテンツの前記第2のセットが、ソーシャルネットワーキングウェブサイト、ムービーおよびビデオゲームアプリケーションを含む、請求項31に記載の装置。
【請求項３３】
前記環境内の表面の前記セットに対して表示する拡張現実コンテンツのセットにおける各コンテンツアイテムに前記コンテンツ優先度レベルを割り当てるように構成された論理回路が、
表示されるべき拡張現実コンテンツの前記セットのスケールファクタ、および表示されるべき拡張現実コンテンツの前記セットの論理的関係のうちの少なくとも1つに基づいて、前記1つまたは複数のコンテンツ優先度レベルを割り当てるように構成された論理回路を備える、請求項25に記載の装置。
【請求項３４】
前記環境内の表面の前記セットに対して表示する拡張現実コンテンツのセットにおける各コンテンツアイテムに前記コンテンツ優先度レベルを割り当てるように構成された論理回路が、
所定のユーザ選好に基づいて、前記コンテンツ優先度レベルを割り当てるように構成された論理回路を備える、請求項25に記載の装置。
【請求項３５】
前記所定のユーザ選好が、
前記ユーザに対する拡張現実コンテンツの重要性と、
表示されるべき前記拡張現実コンテンツの量と、
表面の前記セットに対する前記拡張現実コンテンツの視線の向きとのうちの少なくとも1つを含む、請求項34に記載の装置。
【請求項３６】
前記環境内のマーカのセットを識別するように構成された論理回路と、
マーカの前記セットを表面の前記セットと関連付けるように構成された論理回路と、
マーカの前記セットを使用して表面の前記セットを追跡するように構成された論理回路とをさらに備える、請求項25に記載の装置。
【請求項３７】
拡張現実コンテンツを表示するためのシステムであって、
カメラによって、ユーザの視界内の環境の走査を受信するための手段と、
ユーザインターフェースウィンドウを表示するために前記環境内の表面のセットを識別するための手段と、
表面の前記セットにおける各表面に表面優先度レベルを割り当てることであって、各表面に対する前記表面優先度レベルは複数の表面優先度レベルから選択されることと、表面の前記セットにおける各表面に表面追跡容易性レベルを割り当てることであって、各表面に対する前記表面追跡容易性レベルは複数の表面追跡容易性レベルから選択されることと、前記環境内の表面の前記セットに対して表示する拡張現実コンテンツのセットにおける各コンテンツアイテムにコンテンツ優先度レベルを割り当てることであって、各コンテンツアイテムに対する前記コンテンツ優先度レベルは複数のコンテンツ優先度レベルから選択されることとによって前記環境内の表面の前記セットに対して表示する拡張現実コンテンツのセットを優先順位付けるための手段と、
前記表面優先度レベルと、前記表面追跡容易性レベルと、前記コンテンツ優先度レベルとに基づいて、表面の前記セットにおける表面上の表示する拡張現実コンテンツの前記セットにおける各コンテンツアイテムをディスプレイに表示するための手段とを含む、システム。
【請求項３８】
前記環境内の表面の前記セットに対して表示する拡張現実コンテンツのセットを優先順位付けるための手段が、
表面の前記セットの面積、表面の前記セットの向き、前記ユーザの視野に対する表面の前記セットのロケーションに基づいて、前記表面優先度レベルを割り当てるための手段を含み、前記複数の表面優先度レベルが、高い、中間の、および低い表面優先度レベルを含む、請求項37に記載のシステム。
【請求項３９】
前記環境内の表面の前記セットに対して表示する拡張現実コンテンツのセットを優先順位付けるための手段が、
表示されるべき拡張現実コンテンツの前記セットに対する表面の前記セットのアスペクト比、および表示されるべき拡張現実コンテンツの前記セットに対する表面の前記セットの背景色のうちの少なくとも1つに基づいて、前記コンテンツ優先度レベルを割り当てるための手段を含む、請求項37に記載のシステム。
【請求項４０】
前記環境内の表面の前記セットに対して表示する拡張現実コンテンツのセットを優先順位付けるための手段が、
前記環境内の前記ユーザの以前の使用パターンの履歴に従って前記環境内の表面の前記セットに対して、表示する拡張現実コンテンツの前記セットを優先順位付けるための手段を含む、請求項37に記載のシステム。
【請求項４１】
前記環境内の表面の前記セットに対して表示する拡張現実コンテンツのセットを優先順位付けるための手段が、
表示されるべき拡張現実コンテンツの前記セットのスケールファクタ、および表示されるべき拡張現実コンテンツの前記セットの論理的関係のうちの少なくとも1つに基づいて、前記コンテンツ優先度レベルを割り当てるための手段を含む、請求項37に記載のシステム。
【請求項４２】
前記環境内の表面の前記セットに対して表示する拡張現実コンテンツのセットを優先順位付けるための手段が、
所定のユーザ選好に従って前記環境内の表面の前記セットに対して表示する拡張現実コンテンツの前記セットを優先順位付けるための手段を含む、請求項37に記載のシステム。
【請求項４３】
表示されるべき拡張現実コンテンツの前記セットの前記論理的関係が、
文書および前記文書の対応するビデオプレゼンテーションを含む、請求項9に記載の方法。
【請求項４４】
表示されるべき拡張現実コンテンツの前記セットの前記論理的関係が、
文書および前記文書の対応するプレゼンテーションスライドを含む、請求項9に記載の方法。